(57)【要約】【課題】絵柄等の内容を確認し難い巻物の形態のカレンダーにおいて、包装を取り除いたり、巻物を開いたりすることなく、内容確認ができるカレンダーを提供すること。【解決手段】巻物の形態で、表に表れている面や、包装材の表面に絵柄等の内容を一覧表示することで、容易に内容確認が可能となった。【選択図】  図１
2004268546.tif 000002
【特許請求の範囲】
【請求項１】
巻物の形態で配布または販売されるカレンダーにおいて、巻物最外層シートの表面に、該カレンダーの絵柄を一覧表示したカレンダー。
【請求項２】
巻物の形態で配布または販売されるカレンダーにおいて、巻物最外層シートの裏面に、該カレンダーの絵柄を一覧表示し、その部分を折り返すことで、巻物の表側に該一覧表示が表れるようにしたカレンダー。
【請求項３】
巻物の形態で配布または販売されるカレンダーにおいて、カレンダーの包装材表面に、該カレンダーの絵柄を一覧表示したカレンダー。
【発明の詳細な説明】
【０００１】
【発明の属する技術分野】
本発明は、カレンダーに係り、その絵柄等の印刷内容が瞬時に把握できる機能を盛り込むことにより、カレンダーの流通時において、使用者が容易に嗜好にあったカレンダーを選択できるようにしたカレンダーに関する。
【０００２】
【従来の技術】
カレンダーは、一般にその配布時あるいは販売時において、巻物もしくは平板状の形態で流通する。カレンダーの使用者の多くは、そのカレンダーの絵柄やデザイン、意匠性によって使用するか否かを判断するため、予めカレンダーの内容を確認することが求められる。
【０００３】
中でも巻物の形態で流通するカレンダーにおいては、その多くが、ビニール製や紙製の筒等により包装されており、内容を確認するためには、包装を取り外した後に巻物を開き、複数枚より構成されるカレンダーにおいては一枚毎に繰る等の作業をして確認することが必要となる。さらに、嗜好に合わなかったり、複数のカレンダーを確認する場合などは、元通りに巻き直し、再包装する作業が必要な状況も発生する。これら一連の煩雑な作業のために、十分な確認や選択ができないといった不都合が生じる。
【０００４】
また、カレンダーの販売店においては、不特定多数の客の確認作業により、商品が破損、汚損することを避けるのと、客の利便性を考慮して、商品の一部を見本として掲示することが多いが、商品の一部が無駄になるのと、掲示場所を確保するために、販売スペースを縮小せざるを得ないといった問題が生じる。
【０００５】
従来、カレンダーに使用者の嗜好に合った絵柄を設けるために、使用者が任意の絵柄を取り付けることができるカレンダーが提案されているが、既存のカレンダーの中で、効率よく嗜好に合う絵柄のものを選択できるように検討された例は無かった（例えば、特許文献１〜３参照）。
【０００６】
【特許文献１】
特開平８−２４４３８２号公報（第１〜３頁）
【特許文献２】
特開平８−３１０１５７号公報（第１〜４頁）
【特許文献３】
特開２００１−２８７４７８号公報（第１〜５頁）
【０００７】
【発明が解決しようとする課題】
本発明の目的は、上記実状を鑑みたものであって、絵柄等の内容を確認し難い巻物形態のカレンダーにおいて、包装を取り除いたり、巻物を開いたりすることなく、内容確認ができるカレンダーを提供することにある。
【０００８】
【課題を解決するための手段】
上記課題を解決するため検討した結果、巻物の形態で、表に表れている面や、包装材の表面に絵柄等の内容を一覧表示することで、容易に一目で内容確認が可能となることを見出した。
【０００９】
本発明における巻物最外層シートの表面とは、巻物の形態で、最も外側となるシートの表に表れている面である。
【００１０】
本発明における巻物最外層シートの裏面とは、巻物の形態で、最も外側となるシートの裏に隠れている面である。
【００１１】
【発明の実施の形態】
本発明は、カレンダーに関し、巻物の形状で流通する際に、カレンダーの内容を容易に素早く確認することができるようにしたものである。これにより、これまで、巻物を開かなくては見ることができなかった、カレンダーの内容を一目で確認することが可能となる。
【００１２】
本発明におけるカレンダーは、１ヶ月乃至数ヶ月を１枚のシートに印刷し、複数のシートを重ねて、その一辺を綴じてあるカレンダーで、綴じた辺または綴じた辺と平行な辺を中心軸として巻かれた巻物の形態のカレンダーである。１２ヶ月を１枚のシートに印刷した１枚もののカレンダーにおいても、巻物の形態とした場合にはこれを用いることができる。
【００１３】
一般に巻物の形態で流通するカレンダーは、壁等に掛けて使用するものであり、構成するシートは片面のみ印刷されている。通常、印刷面が内側になるように巻かれているため、最外層シートの表面は印刷されていない面であり、この面の端の一部に、カレンダーの絵柄の一覧を縮小してまとめて印刷すればよい。印刷面が外側になるように巻かれる場合には、印刷されている面の一部分を利用して、絵柄を一覧表示すればよい。
【００１４】
一般的な、片面印刷で印刷面を内側にして巻かれてあるカレンダーにおいては、印刷されていない面に新たに絵柄の一覧を印刷するためには、最外層シートのみ両面印刷を施さねばならない。これを避けるためには、印刷面である最外層シートの裏面の末端に、絵柄の一覧を印刷しておき、巻物にする際にその部分を折り返すことで、絵柄の一覧表示が外側に表れるようにすればよい。
【００１５】
巻物の形態のカレンダーに、紙やポリエチレン製の筒状の包装をする場合があるが、その場合は、包装に絵柄の一覧を印刷してもよい。不透明な包装材の場合には、カレンダーに一覧表示しても容易に見ることができないので、包装に一覧表示しなければならないが、透明な包装材の場合には、カレンダー、包装いずれに一覧表示してもよい。
【００１６】
【実施例】
以下、本発明の具体的な内容を図示した実施例をもとに説明するが、本発明はこれらに限定されるものではない。
【００１７】
実施例１
図１において、巻物カレンダーの最外層表面１に、カレンダーの絵柄２が縮小して印刷、表示されている。絵柄２は、１ヶ月分を１枚としたカレンダーにおいては１２種類、１２ヶ月分を１枚としたカレンダーにおいては１種類となる。
【００１８】
これにより、巻物を開くことなく、一目でカレンダーの内容を確認することができる。
【００１９】
実施例２
図２において、巻物カレンダーの最外層１の端を、折り返し部３において折り返し、外側に出た最外層シートの裏面４の一部に、カレンダーの絵柄２が縮小して印刷、表示されている。
【００２０】
これにより、片面印刷のカレンダーにおいて、印刷面を内側にして巻いた巻物においても、絵柄２を印刷するために両面印刷する必要が無く、カレンダーの印刷面の一部に絵柄２を印刷するだけで、巻物の形態となっても絵柄２が見えるようにすることができる。
【００２１】
これにより、巻物を開くことなく、一目でカレンダーの内容を確認することができる。
【００２２】
【発明の効果】
以上説明した様に、本発明により、巻物の形態で流通するカレンダーの内容を容易に確認することが可能となった。これにより、複数のカレンダーの中から嗜好に合ったカレンダーを素早く選択することが可能となった。
【図面の簡単な説明】
【図１】最外層シートの表面に絵柄の一覧表示を施した、巻物の形態のカレンダーの概略図。
【図２】最外層シートの裏面に絵柄の一覧表示を施し、その部分を折り返した巻物の形態のカレンダーの部分概略図。
【符号の説明】
１  最外層シートの表面
２  絵柄
３  折り返し部
４  最外層シートの裏面
【図１】
2004268546.tif 000003
【図２】
2004268546.tif 000004